(57)【要約】【課題】容易かつ低コストに製造することができる照明装置を実現すること。【解決手段】図１は、スカッフプレート１の構造について示した図である。スカッフプレート１は、ＬＥＤ発光装置１０と、導光板１１と、反射プレート１２と、ケース１３と、カバー１７とを備えている。ＬＥＤ発光装置１０と導光板１１は、ＬＥＤ発光装置１０の光の照射方向が導光板１１の長手方向側面１１ｂとなるように配置されている。反射プレート１２は、ケース１３の凹部底面１３ａと、導光板１１の裏面１１ａとの間に配置されている。反射プレート１２の表面１２ａには塗料１４が意匠形状に印刷されている。反射プレート１２の表面１２ａと導光板１１の裏面１１ａとが全面にわたって接着剤１６により接着されている。導光板１１に加工や印刷を施さないため、スカッフプレート１は容易かつ低コストに製造することができる。【選択図】図１
2009237143.tif 000002
【特許請求の範囲】
【請求項１】
ＬＥＤ発光装置と導光板とを有し、前記ＬＥＤ発光装置からの光を前記導光板の側面に入射させて前記導光板の表面側に意匠を表示させる照明装置において、
前記照明装置は、意匠形状の印刷が施されたプレートを有し、
前記プレートは、前記導光板の裏面側に配置され、
前記プレートと前記導光板は全面にわたって接着されている、
ことを特徴とする照明装置。
【請求項２】
ＬＥＤ発光装置と導光板と前記ＬＥＤ発光装置および前記導光板を納める凹部を備えたケースとを有し、前記ＬＥＤ発光装置からの光を前記導光板の側面に入射させて前記導光板の表面に意匠を表示させる照明装置において、
前記ケースの前記凹部底面には、意匠形状の印刷が施され、
前記ケースの前記凹部底面と前記導光板は全面にわたって接着されている、
ことを特徴とする照明装置。
【請求項３】
前記ＬＥＤ発光装置は、サイドビュー型であることを特徴とする請求項１または請求項２に記載の照明装置。
【請求項４】
前記照明装置は、スカッフプレートであることを特徴とする請求項１ないし請求項３のいずれか１項に記載の照明装置。
【発明の詳細な説明】
【技術分野】
【０００１】
本発明は、ＬＥＤ発光装置を光源とし、光源からの光を導光体により導いて意匠を表示させる照明装置に関する。
【背景技術】
【０００２】
従来より、自動車のサイドステップに配置されるスカッフプレートとして、文字や図形などの意匠を表示させる照明装置が用いられている。
【０００３】
特許文献１には、導光板の側面にＬＥＤ発光装置を配置し、導光板の上面に金属板や樹脂板などを意匠形状にくり抜いて形成した窓部を有する意匠板を置いた照明装置が示されている。この照明装置は、ＬＥＤ発光装置より放射された光を導光板側面から導光板内部へと入射させ、導光板内部の光を意匠板の窓部から透過させて外部へ出射させることで意匠を表示させるものである。また、意匠板の替わりに光を透過しないインクを導光板の表面に印刷する方法でもよいことが記載されている。
【０００４】
特許文献２、３には、導光板の側面にＬＥＤ発光装置を配置し、導光板の裏面を凹凸加工して文字部を形成することで文字を表示させる照明装置が示されている。
【特許文献１】特開２００１−１６３１１７
【特許文献２】特開２００２−１０８２５７
【特許文献３】特開２００７−１４５０８２
【発明の開示】
【発明が解決しようとする課題】
【０００５】
しかし、特許文献２、３のように導光板に加工を施すのは、製造工程が増えてコストが増大してしまうことが問題となり、不良の原因ともなる。また、導光板を加工すると導光板に微細な傷や汚れがついてしまい、装飾性が低くなるので望ましくない。
【０００６】
また、特許文献１のように金属板などを加工して意匠板を形成する場合にも同様に製造工程が増えてコストが増大する問題が生じ、導光板の厚みに意匠板の厚みが加わるため照明装置の厚さが増してしまうことも問題となる。また、導光板上面にインクを印刷する場合は、印刷が剥がれてしまうなどの問題が生じてしまう。
【０００７】
そこで本発明の目的は、容易に製造することができ、かつ低コストな照明装置を実現することである。
【課題を解決するための手段】
【０００８】
第１の発明は、ＬＥＤ発光装置と導光板とを有し、ＬＥＤ発光装置からの光を導光板の側面に入射させて導光板の表面側に意匠を表示させる照明装置において、照明装置は、意匠形状の印刷が施されたプレートを有し、プレートは、導光板の裏面側に配置され、プレートと導光板は全面にわたって接着されている、ことを特徴とする照明装置である。
【０００９】
プレートは、板状のものであってもよいし、フィルム状のものであってもよい。たとえば、アルミニウムなどの金属からなる金属板、樹脂板や樹脂フィルムなどを用いることができる。
【００１０】
第２の発明は、ＬＥＤ発光装置と導光板とＬＥＤ発光装置および導光板を納める凹部を備えたケースとを有し、ＬＥＤ発光装置からの光を導光板の側面に入射させて導光板の表面に意匠を表示させる照明装置において、ケースの凹部底面には、意匠形状の印刷が施され、ケースの凹部底面と導光板は全面にわたって接着されていることを特徴とする照明装置である。
【００１１】
第３の発明は、第１の発明または第２の発明において、ＬＥＤ発光装置は、サイドビュー型であることを特徴とする照明装置である。
【００１２】
第４の発明は、第１の発明から第３の発明において、照明装置は、スカッフプレートであることを特徴とする。
【発明の効果】
【００１３】
第１、２の発明によると、導光板に加工や印刷を施す必要がないため、導光板に傷や汚れが付かず装飾性を向上することができ、また、非常に低コストでかつ容易に製造することができる。また、導光板とプレートまたはケースとが全面にわたって接着されているため、印刷が剥がれてしまうなどの問題が生じることもない。特に第２の発明では、ケース自体が第１の発明におけるプレートを兼ねているため、照明装置の構成がより簡略化され、より容易かつ低コストに製造することができる。
【００１４】
また、第３の発明のようにサイドビュー型のＬＥＤ発光装置を用いると、ＬＥＤ発光装置自体の高さを小さくすることができる。そのため、照明装置全体をより薄くすることができ、装飾性を向上させることができる。
【００１５】
また、第４の発明のように、本発明によって安価で装飾性に優れたスカッフプレートを実現することができる。
【発明を実施するための最良の形態】
【００１６】
以下、本発明の具体的な実施例について図を参照に説明するが、本発明は実施例に限定されるものではない。
【実施例１】
【００１７】
図１は、実施例１のスカッフプレート１の構造について示した図である。図１（ｂ）は、スカッフプレート１を意匠表示側からみた図であり、図１（ａ）は、スカッフプレート１の長手方向の断面図である。スカッフプレート１は、ＬＥＤ発光装置１０と、導光板１１と、反射プレート１２と、ケース１３と、カバー１７とを備えている。ケース１３には凹部が設けられていて、ＬＥＤ発光装置１０、導光板１１、反射プレート１２はその凹部に納められている。
【００１８】
ＬＥＤ発光装置１０は、白色発光のサイドビュー型であり、配置された面に対して水平方向に光を照射する。ＬＥＤ発光装置１０は、ケース１３の凹部底面１３ａの端部側に配置されている。
【００１９】
ＬＥＤ発光装置１０はサイドビュー型のものでなくてもよいが、サイドビュー型を用いる方が望ましい。サイドビュー型のＬＥＤ発光装置は高さが小さいので、スカッフプレート１自体の厚さをより薄くすることができる。また、ＬＥＤ発光装置１０は白色発光のものでなくてもよく、青色発光など任意の発光色のものを用いることができる。また、ＬＥＤ発光装置１０は複数個配置するようにしてもよい。
【００２０】
導光板１１は、ケース１３の凹部底面１３ａに反射プレート１２を介して配置されている。導光板１１は、長方形状で透明なアクリル樹脂板である。ＬＥＤ発光装置１０と導光板１１は、ＬＥＤ発光装置１０の光の照射方向が導光板１１の長手方向側面１１ｂとなるように配置されている。
【００２１】
なお、導光板１１として、アクリル以外の透明な樹脂板を用いてもよいし、透明なガラス板などを用いてもよい。
【００２２】
反射プレート１２は、アルミニウムからなる金属板であり、反射率を高めることで導光板１１の長手方向へ進行する光の光量を高めている。反射プレート１２は、ケース１３の凹部底面１３ａと、導光板１１の裏面１１ａとの間に配置されている。反射プレート１２の表面１２ａには塗料１４が意匠形状に印刷されている。反射プレート１２の表面１２ａと導光板１１の裏面１１ａとが全面にわたって接着剤１６により接着されている。このように全面にわたって接着されているため、印刷された塗料１４が剥がれてしまうことはない。反射プレート１２とケース１３とが接着されて固定されていてもよい。
【００２３】
反射プレート１２は、アルミニウム以外の高反射な金属からなる金属板であってもよいし、板状やフィルム状の樹脂に銀などの金属を蒸着したものであってもよい。また、反射プレート１２に印刷される塗料は白色などの任意の色の塗料を用いることができ、蛍光塗料などを用いてもよい。たとえば紫外発光のＬＥＤ発光装置１０と紫外光により励起されて発光する蛍光塗料とを組み合わせてもよい。
【００２４】
ケース１３は、凹部を有した長方形状であり、その凹部にＬＥＤ発光装置１０、導光板１１、反射プレート１２を納め、固定し、保持する。
【００２５】
カバー１７は、窓部を有したステンレスのプレートである。導光板１１表面１１ｃの大部分を露出し、それ以外の部分を覆うようにしてケース１３の上部に配置されている。なお、カバー１７は、ケース１３の全体を覆い、導光板１１の上部を透光性の部材とするものであってもよい。
【００２６】
次に、スカッフプレート１の照明時の動作について説明する。
【００２７】
まず、ＬＥＤ発光装置１０を発光させ、光をケース１３裏面１３ａに水平な方向に放射する。ＬＥＤ発光装置１０からの光は、導光板１１の長手方向側面１１ａに照射され、導光板１１内部に入射する。
【００２８】
導光板１１内部に入射した光は、導光板１１の長手方向へと進行する。このとき、導光板１１内部を進行する光の一部は塗料１４によって反射され、導光板１１表面１１ｃから外部へと出射する。これにより、塗料１４による意匠形状が表示される。
【００２９】
以上のように、実施例１のスカッフプレート１は、導光板１１に加工や印刷を施していない。そのため導光板１１に傷や汚れが付かず装飾性を向上することができ、また、容易かつ低コストに製造することができる。また、ＬＥＤ発光装置１０としてサイドビュー型のものを用いているため、スカッフプレート１の厚さを薄くすることができる。
【００３０】
なお、実施例１では反射プレートを用いて反射率を高めているが、反射率を高めることは必ずしも必要ではない。たとえば、反射プレートの替わりに黒色の樹脂からなるフィルム状や板状のプレートを用いて印刷された意匠形状の塗料とのコントラストを高めるようにしてもよい。
【実施例２】
【００３１】
図２は、実施例２のスカッフプレート２の長手方向の断面図である。スカッフプレート２は、ＬＥＤ発光装置１０と、導光板１１と、ケース２３と、カバー１７を備えている。ＬＥＤ発光装置１０、導光板１１、カバー１７は実施例１のスカッフプレート１のものと同様である。
【００３２】
ＬＥＤ発光装置１０と導光板１１は、実施例１と同様に配置されている。つまり、ＬＥＤ発光装置１０の光の照射方向が導光板１１の長手方向側面１１ｂとなるように配置されている。
【００３３】
ケース２３は、凹部を有した長方形状であり、その凹部にＬＥＤ発光装置１０、導光板１１を納め、固定し、保持する。ケース２３の凹部底面２３ａには、塗料２４が意匠形状に印刷されている。ケース２３の凹部底面２３ａと導光板１１の裏面１１ａとは、接着剤２５を介して全面にわたって接着されている。
【００３４】
スカッフプレート２の照明時の動作は、実施例１とほぼ同様であり、ＬＥＤ発光装置１０が放射する光を導光板１１の長手方向側面１１ｂから入射させ、導光板１１内の光をケース２３の凹部底面２３ａに印刷された塗料２４が反射することで、意匠形状が表示される。
【００３５】
実施例２のスカッフプレート２は、スカッフプレート１よりもさらに構成が簡略化されているため、より容易にかつ低コストに製造することができる。
【００３６】
なお、実施例では導光板の長手方向側面の一方の側にＬＥＤ発光装置を配置するものであるが、導光板の長手方向側面の両方の側にＬＥＤ発光装置を配置してもよい。
【産業上の利用可能性】
【００３７】
本発明の照明装置は薄型であるため、スカッフプレートなどに用いることができる。
【図面の簡単な説明】
【００３８】
【図１】スカッフプレート１の構造を示す図。
【図２】スカッフプレート２の構造を示す図。
【符号の説明】
【００３９】
１０：ＬＥＤ発光装置
１１：導光板
１２：反射プレート
１３、２３：ケース
１４、２４：塗料
【図１】
2009237143.tif 000003
【図２】
2009237143.tif 000004